(57)【要約】【課題】下肢の施療部に対してマッサージ動作を付与するマッサージ機構の位置を切り替えることができる構成とすることで、例えば使用者が椅子などに着座した状態で、足部・ふくらはぎ・腿などのいずれかの下肢に対してマッサージ動作を付与することができる下肢用マッサージ機を提供する。【解決手段】本発明の下肢用マッサージ機１は、使用者の下肢Ｌのうち、少なくとも足部Ｆを含む施療部をマッサージする下部マッサージ機構３７と、下部マッサージ機構３７がマッサージする部位より上側の施療部をマッサージする上部マッサージ機構１１と、上部マッサージ機構１１及び下部マッサージ機構３７を駆動する駆動機構２３と、上部マッサージ機構１１を左右方向を向く軸心回りに揺動可能に支持する揺動支持部３０と、を有している。【選択図】図１
2020031830.tif 000002
【特許請求の範囲】
【請求項１】
使用者の下肢のうち、少なくとも足部を含む施療部をマッサージする下部マッサージ機構と、
前記下部マッサージ機構がマッサージする部位より上側の施療部をマッサージする上部マッサージ機構と、
前記上部マッサージ機構及び前記下部マッサージ機構を駆動する駆動機構と、
前記上部マッサージ機構を左右方向を向く軸心回りに揺動可能に支持する揺動支持部と、を有している
ことを特徴とする下肢用マッサージ機。
【請求項２】
前記上部マッサージ機構は長尺の上ケース体に内蔵され、且つ、前記下部マッサージ機構は下ケース体に内蔵されていて、
前記揺動支持部は、前記下ケース体の上部に設けられていて、左右方向を向く揺動軸を介して前記上ケース体の先端側が立ち上がり可能なように、前記上ケース体の基端側を揺動自在に支持している
ことを特徴とする請求項１に記載の下肢用マッサージ機。
【請求項３】
前記上部マッサージ機構は、前記施療部に対してマッサージ動作を付与する長尺とされた板状の第１マッサージ部材を有し、
前記上ケース体を前記下ケース体に隣接するように前倒しにしたとき、当該上ケース体内に収容されている前記第１マッサージ部材は前方向を向き、前記上ケース体を前記下ケース体から離反するように立ち上げたとき、当該上ケース体内に収容されている前記第１マッサージ部材は上方を向く構成とされている
ことを特徴とする請求項２に記載の下肢用マッサージ機。
【請求項４】
前記駆動機構は、前記上部マッサージ機構と前記下部マッサージ機構を共に駆動させるものである
ことを特徴とする請求項１〜３のいずれかに記載の下肢用マッサージ機。
【請求項５】
前記駆動機構は、回転駆動力を出力する駆動モータと、当該駆動モータから出力された前記回転駆動力を前記上部マッサージ機構に入力する上部伝達軸と、前記回転駆動力を前記下部マッサージ機構に入力する下部伝達軸と、有していて、
前記上部伝達軸及び前記下部伝達軸で伝達された回転駆動力により、前記上部マッサージ機構と前記下部マッサージ機構のそれぞれが駆動する
ことを特徴とする請求項４に記載の下肢用マッサージ機。
【請求項６】
前記上部マッサージ機構は、左右方向を向くように設けられ且つ前記上部伝達軸からの回転駆動力により回転する第１回転軸と、前記第１回転軸の中途部に配備され且つ、前記第１回転軸の回転駆動力により近接離反して前記上側の施療部を挟み込む左右一対の第１マッサージ部材と、前記第１回転軸の回転駆動力を、前記左右一対の第１マッサージ部材の近接離反動作に変換する第１変換部と、を有している
ことを特徴とする請求項４又は５に記載の下肢用マッサージ機。
【請求項７】
前記下部マッサージ機構は、左右方向を向くように設けられ且つ前記下部伝達軸からの回転駆動力により回転する第２回転軸と、前記第２回転軸の中途部に配備され且つ、前記第２回転軸の回転駆動力により近接離反して前記少なくとも足部を含む施療部を挟み込む左右一対の第２マッサージ部材と、前記第２回転軸の回転駆動力を、前記左右一対の第２マッサージ部材の揺動動作に変換する第２変換部と、を有している
ことを特徴とする請求項４又は５に記載の下肢用マッサージ機。
【請求項８】
前記揺動軸と前記第１回転軸が同一軸体からなることを特徴とする請求項６に記載の下肢用マッサージ機。
【請求項９】
前記一対の第１マッサージ部材の少なくとも一方を水平方向に移動し、前記一対の第１マッサージ部材の間隔を可変とする幅調整機構が、前記上部マッサージ機構に備えられていることを特徴とする請求項３〜８のいずれかに記載の下肢用マッサージ機。
【請求項１０】
前記一対の第２マッサージ部材の少なくとも一方を水平方向に移動し、前記一対の第２マッサージ部材の間隔を可変とする幅調整機構が、前記下部マッサージ機構に備えられていることを特徴とする請求項７に記載の下肢用マッサージ機。
【発明の詳細な説明】
【技術分野】
【０００１】
本発明は、使用者の下肢、特に、ふくらはぎから腿にかけて部位、及び足部に対して押圧マッサージ動作を付与する下肢用マッサージ機に関する。
【背景技術】
【０００２】
従来より、足先から踵（かかと）までの足部から、踝（くるぶし）と膝との間に位置するふくらはぎへとつながる下肢の施療部に対して、マッサージ動作を付与するマッサージ機構を格納した下肢用マッサージ機がある（例えば、特許文献１参照）。
【先行技術文献】
【特許文献】
【０００３】
【特許文献１】特開２０１１−１０３９８８号公報
【発明の概要】
【発明が解決しようとする課題】
【０００４】
しかしながら、近年では、マッサージに関する要望は多種多様となり、例えば「椅子などに着座した状態で、足部〜ふくらはぎ〜腿（太腿）までに対してマッサージ動作を付与することができる機構を備えて欲しい」といった要望が使用者から挙がってきている。また、「下肢用マッサージ機に腿に対してマッサージする機構を付加しても、大型化せずに収納し易いようにコンパクトにして欲しい」という要望も使用者から挙がってきている。
【０００５】
そこで、本発明は、上記問題点に鑑み、下肢の施療部に対してマッサージ動作を付与するマッサージ機構の位置を切り替えることができる構成とすることで、例えば使用者が椅子などに着座した状態で、足部・ふくらはぎ・腿などのいずれかの下肢に対してマッサージ動作を付与することができる下肢用マッサージ機を提供することを目的とする。
【課題を解決するための手段】
【０００６】
上記の目的を達成するため、本発明においては以下の技術的手段を講じた。
本発明にかかる下肢用マッサージ機は、使用者の下肢のうち、少なくとも足部を含む施療部をマッサージする下部マッサージ機構と、前記下部マッサージ機構がマッサージする部位より上側の施療部をマッサージする上部マッサージ機構と、前記上部マッサージ機構及び前記下部マッサージ機構を駆動する駆動機構と、前記上部マッサージ機構を左右方向を向く軸心回りに揺動可能に支持する揺動支持部と、を有していることを特徴とする。
【０００７】
好ましくは、前記上部マッサージ機構は長尺の上ケース体に内蔵され、且つ、前記下部マッサージ機構は下ケース体に内蔵されていて、前記揺動支持部は、前記下ケース体の上部に設けられていて、左右方向を向く揺動軸を介して前記上ケース体の先端側が立ち上がり可能なように、前記上ケース体の基端側を揺動自在に支持しているとよい。
好ましくは、前記上部マッサージ機構は、前記施療部に対してマッサージ動作を付与する長尺とされた板状の第１マッサージ部材を有し、前記上ケース体を前記下ケース体に隣接するように前倒しにしたとき、当該上ケース体内に収容されている前記第１マッサージ部材は前方向を向き、前記上ケース体を前記下ケース体から離反するように立ち上げたとき、当該上ケース体内に収容されている前記第１マッサージ部材は上方を向く構成とされているとよい。
【０００８】
好ましくは、前記駆動機構は、前記上部マッサージ機構と前記下部マッサージ機構を共に駆動させるものであるとよい。
好ましくは、前記駆動機構は、回転駆動力を出力する駆動モータと、当該駆動モータから出力された前記回転駆動力を前記上部マッサージ機構に入力する上部伝達軸と、前記回転駆動力を前記下部マッサージ機構に入力する下部伝達軸と、有していて、前記上部伝達軸及び前記下部伝達軸で伝達された回転駆動力により、前記上部マッサージ機構と前記下部マッサージ機構のそれぞれが駆動するとよい。
【０００９】
好ましくは、前記上部マッサージ機構は、左右方向を向くように設けられ且つ前記上部伝達軸からの回転駆動力により回転する第１回転軸と、前記第１回転軸の中途部に配備され且つ、前記第１回転軸の回転駆動力により近接離反して前記上側の施療部を挟み込む左
右一対の第１マッサージ部材と、前記第１回転軸の回転駆動力を、前記左右一対の第１マッサージ部材の近接離反動作に変換する第１変換部と、を有しているとよい。
【００１０】
好ましくは、前記下部マッサージ機構は、左右方向を向くように設けられ且つ前記下部伝達軸からの回転駆動力により回転する第２回転軸と、前記第２回転軸の中途部に配備され且つ、前記第２回転軸の回転駆動力により近接離反して前記少なくとも足部を含む施療部を挟み込む左右一対の第２マッサージ部材と、前記第２回転軸の回転駆動力を、前記左右一対の第２マッサージ部材の揺動動作に変換する第２変換部と、を有しているとよい。
【００１１】
好ましくは、前記揺動軸と前記第１回転軸が同一軸体からなるとよい。
好ましくは、前記一対の第１マッサージ部材の少なくとも一方を水平方向に移動し、前記一対の第１マッサージ部材の間隔を可変とする幅調整機構が、前記上部マッサージ機構に備えられているとよい。
好ましくは、前記一対の第２マッサージ部材の少なくとも一方を水平方向に移動し、前記一対の第２マッサージ部材の間隔を可変とする幅調整機構が、前記下部マッサージ機構に備えられているとよい。
【発明の効果】
【００１２】
本発明によれば、下肢の施療部に対してマッサージ動作を付与するマッサージ機構の位置を切り替えることができる構成とすることで、例えば使用者が椅子などに着座した状態で、足部・ふくらはぎ・腿などのいずれかの下肢に対してマッサージ動作を付与することができる。
【図面の簡単な説明】
【００１３】
【図１】本発明にかかる下肢用マッサージ機の構造を示す前方斜視図であり、上部マッサージ機構のマッサージ部を略水平方向に向かせた位置（ふくらはぎに対応する位置、第１の位置）に切り替えた状態を示す図である。
【図２】本発明にかかる下肢用マッサージ機の構造を示す後方斜視図であり、マッサージ部を鉛直よりやや後方に向かせた位置（ふくらはぎに対応する位置、第１の位置）に切り替えた状態を示す図である。
【図３】本発明の下肢用マッサージ機を示す正面図である。
【図４】本発明の下肢用マッサージ機の内部構造を示す前方斜視図である。
【図５】本発明にかかる下肢用マッサージ機の構造を示す前方斜視図であり、上部マッサージ機構のマッサージ部を略鉛直方向に向かせた位置（腿に対応する位置、第２の位置）に切り替えた状態を示す図である。
【図６】上部マッサージ機構のマッサージ部を略鉛直方向に向かせた位置における内部構造（揺動支持部）を示す前方斜視図である。
【図７】上部マッサージ機構のマッサージ部を、略水平方向に向かせた位置（ふくらはぎに対応する位置、第１の位置）に切り替えた状態を示す側面図である。
【図８】上部マッサージ機構のマッサージ部を、斜め前上方向に向かせた位置（ふくらはぎ上部、膝などに対応する位置、第２の位置）に切り替えた状態を示す側面図である。
【図９】上部マッサージ機構のマッサージ部を、鉛直よりやや後方に向かせた位置（腿に対応する位置、第３の位置）に切り替えた状態を示す側面図である。
【発明を実施するための形態】
【００１４】
以下、本発明にかかる下肢用マッサージ機１の実施形態を、図１〜図９を参照して説明する。なお、以下に説明する実施形態は、本発明を具体化した一例であって、その具体例をもって本発明の構成を限定するものではない。また、図１〜図９に関して、見やすくするため、一部を省略して描いている。
本実施形態の下肢用マッサージ機１は、マッサージ位置を変えることにより、使用者の下肢Ｌにおける様々な部位（施療部）に対して、マッサージを行うことができるものである。
【００１５】
本実施形態においては、腿Ｔ〜ふくらはぎＣ〜足部Ｆにかけての部位を下肢Ｌと呼ぶこととする。また、本明細書においては、人間の下肢Ｌのうち、膝より上の部分を「腿Ｔ」
と言うものとし、膝下であって且つくるぶし（足首）より上の部分を「ふくらはぎＣ」と言うものとし、くるぶしより下であって且つかかとから足先までの部分を「足部Ｆ」と言うものとする。
【００１６】
また、説明における方向は、図面に適宜示しており、椅子などに着座した状態で下肢用マッサージ機１に下肢Ｌを挿入して使用する使用者から見た前後方向、左右方向、上下方向と一致する。以降の説明において、「ふくらはぎＣ」を「第１の施療部」と呼び、「腿Ｔ」を「第２の施療部」と呼ぶこともある。
また、マッサージ位置に関し、例えば、図７に示す位置、すなわち、ふくらはぎＣに対応するように第１マッサージ部材１３を略水平方向に向かせて切り替えたマッサージ位置を「第１の位置」とする。
【００１７】
図８に示す位置、すなわち、ふくらはぎＣの上部や膝などに対応するように第１マッサージ部材１３を斜め前上方向に向かせて切り替えたマッサージ位置を「第２の位置」とする。
図９に示す位置、すなわち、腿Ｔに対応するように第１マッサージ部材１３を鉛直よりやや後方に向かせて切り替えたマッサージ位置を「第３の位置」とする。
【００１８】
本実施形態の下肢用マッサージ機１は、床面Ｒなどに載置され、椅子などに着座した使用者の左右両方の下肢Ｌをマッサージの対象（施療部）として、下肢Ｌを構成する足部Ｆに対して挟み込むように揉むマッサージと、ふくらはぎＣ又は腿Ｔなどのいずれかに対して挟み込むように揉むマッサージと、を同時に行えるように構成されている。また、この下肢用マッサージ機１は、足裏Ｓに対して指圧するような振動及び押圧マッサージも行える構成となっている。
【００１９】
本実施形態の下肢用マッサージ機１は、マッサージ部により、使用者の左右両方のふくらはぎＣ又は腿Ｔなどのいずれかに対してマッサージ動作を付与する上部マッサージ機構１１と、使用者の左右両方の足部Ｆに対してマッサージ動作を付与する下部マッサージ機構３７と、これら上部マッサージ機構１１及び下部マッサージ機構３７を駆動する駆動機構２３と、を有している。
【００２０】
上部マッサージ機構１１は、上ケース体２に内蔵されている。また、下部マッサージ機構３７は、下ケース体８に内蔵されている。駆動機構２３は、上ケース体２と下ケース体８を掛け渡すように配備されている。
上ケース体２は、長尺の部材であって、第１の位置においてみると、前方に向かって湾曲状に突出した凸状に形成されている。その上ケース体２の内部は、空間とされていて、その空間に上部マッサージ機構１１や、駆動機構２３（詳細は後述）を構成する第１ギアボックス２８などが内蔵されている。
【００２１】
この上ケース体２は、揺動支持部３０（詳細は後述）の支持によって、下ケース体８に対して前後方向に揺動可能とされている。つまり、上ケース体２は、内蔵する上部マッサージ機構１１の左右方向を向く軸心回りの揺動に連動して揺動可能とされている。
上ケース体２は、上方が開口され、上部マッサージ機構１１及びその上部マッサージ機構１１を構成する基盤体１５が取り付けられる下カバー体３と、その下カバー体３を上部から覆うように配備される上カバー体４と、を有している。
【００２２】
下カバー体３は、上方に向かって開放状とされ且つ、上部マッサージ機構１１などが収容可能となるように凹形状に形成されている。また、下カバー体３は、左右両端と左右方向中央が前方に向かって突出したフォーク形状の部材である。この下カバー体３の内部には、上部マッサージ機構１１を構成する基盤体１５が取り付けられる取付部５が設けられている。
【００２３】
また、下カバー体３の下側であり且つ中央には、マッサージ位置が「第１の位置」にあるとき、揺動支持部３０を覆うキャップ体３４が収容される窪み部６が形成されている。
上カバー体４は、下方に向かって開放状とされ且つ、下カバー体３を上方から覆う部材である。また、上カバー体４も、下カバー体３と同様に、左右両端と左右方向中央が前方に向かって突出したフォーク形状の部材である。
【００２４】
上カバー体４の左右方向中央の部材に関しては、その先端部は前方斜め下方に傾斜状に
形成されており、この傾斜部に、下肢用マッサージ機１を駆動させたり、停止させたりするスイッチ６０が設けられている。傾斜面にスイッチ６０が設けられているため、図７のように、上部マッサージ機構１１のマッサージ部が第１の位置（略水平方向に向かせた位置）にあったとしても、使用者からスイッチ６０を確実に確認できるものとなっている。同様に、図８のようにマッサージ部が第２の位置（ふくらはぎ上部、膝などに対応する位置）にあっても、図９のようにマッサージ部が第３の位置（腿に対応する位置）にあっても、使用者からスイッチ６０の位置や状態を確実に確認できるものとなっている。このように、使用者から見て常に目視確認できる位置や場所にスイッチ６０を設けることは非常に好ましい。
【００２５】
上ケース体２は、前方に向かって突出するような湾曲状に形成され、使用者の左右両方のふくらはぎＣ又は腿Ｔなどを挿入することが可能な第１施療凹部７が、左右一対互いに離れて並設されている。
この第１施療凹部７は、例えば、図７に示す第１の位置のとき、上方・前方・下方へ向けて開放状に設けられている。これら左右一対の第１施療凹部７内には、図示はしないが、弾力性及び柔軟性があり且つ適度な通気性を備えた内張材が設けられている。
【００２６】
以上、上カバー体４と下カバー体３が上下方向に付き合わされることにより上ケース体２が形成され、その上ケース体２に内部に設けられる空間に上部マッサージ機構１１などが内蔵されることとなる。
また、上ケース体２の左右両側を持つことで、上部マッサージ機構１１を前後方向に揺動させて、所定の位置に停止させてマッサージ位置を切り替えることができる。つまり、左右の第１施療凹部７に対して、例えば、図１、図７などに示す「第１の位置」のとき、左右のふくらはぎＣを嵌め入れることができる。図８に示す「第２の位置」のとき、左右のふくらはぎＣ、膝などを嵌め入れることができる。図５、図９などに示す「第３の位置」のとき、左右の腿Ｔを嵌め入れることができる。
【００２７】
下ケース体８は、上面が上方に向かって湾曲状に盛り上がったドーム状（凸状）に形成されている。その下ケース体８の内部は、空間とされていて、その空間に下部マッサージ機構３７と駆動機構２３（共に後述）などが内蔵されている。この下ケース体８の内部には、揺動支持部３０が取り付けられる載置部３２が設けられている。
その下ケース体８の上面には、上方に向かって開放状とされ、使用者の左右両方の足部Ｆが挿入可能な第２施療凹部９が、左右一対互いに離れて並設されている。また、これら左右一対の第２施療凹部９内には、図示はしないが、弾力性及び柔軟性があり且つ適度な通気性を備えた内張材が設けられている。
【００２８】
また、下ケース体８の左右両側には、把持部１０が設けられていて、その把持部１０に使用者の手を入れることで、下肢用マッサージ機１を持って移動させることができる。
ここで、上ケース体２の内部に格納される上部マッサージ機構１１について、説明する。
図１〜図９に示すように、本実施形態の上部マッサージ機構１１は、左右方向を向くように設けられ且つ、駆動機構２３（詳細は後述）を構成する上部伝達軸２７ａからの回転駆動力により回転する第１回転軸１２と、第１回転軸１２の中途部に配備され且つ、第１回転軸１２の回転駆動力により近接離反してふくらはぎＣ又は腿Ｔなど上側の施療部を挟み込む左右一対の第１マッサージ部材１３と、第１回転軸１２の回転駆動力を、左右一対の第１マッサージ部材１３の近接離反動作に変換する第１変換部１４と、を有している。
【００２９】
この上部マッサージ機構１１は、下ケース体８の上方に浮遊状態で位置する基盤体１５上に配備されていて、その基盤体１５を介して上ケース体２に取り付けられている。
基盤体１５の左右両端部には、軸心が左右方向を向く軸支持部１６が形成されており、その軸支持部１６には軸受（ベアリング）が嵌入されている。軸支持部１６は、ベアリングを介して、第１回転軸１２の両端部を回転自在に支持している。また、基盤体１５は、揺動支持部３０（詳細は後述）により揺動自在に支持されている。
【００３０】
第１マッサージ部材１３は、基盤体１５に備えられている部材であり、ふくらはぎＣ又は腿Ｔなどの施療部を挟み込むことができるように左右に離間して一対配備されている。
第１マッサージ部材１３は、ふくらはぎＣ又は腿Ｔに対して挟み込み（押圧）マッサージ動作を付与するものである。第１マッサージ部材１３は、長尺とされた板状の部材であって、長手方向中途部が屈曲されている。
【００３１】
第１マッサージ部材１３は、図１、図７などに示す「第１の位置」のとき、先端が下方に屈曲した状態であり、ふくらはぎＣ（第１の施療部）に対してマッサージ動作を付与する。また、第１マッサージ部材１３は、図８に示す「第２の位置」のとき、先端が前方に向いた状態であり、ふくらはぎＣや膝の側部などに対してマッサージ動作を付与する。第１マッサージ部材１３は、図５、図９などに示す「第３の位置」のとき、先端が前方に屈曲した状態であり、腿Ｔ（第２の施療部）に対してマッサージ動作を付与するものとなっている。
【００３２】
第１回転軸１２は、軸心が水平方向を向くように配備され且つ、第１マッサージ部材１３の基端側（第１変換部１４）を左右方向に亘って貫通して配備されている。この第１回転軸１２は、駆動機構２３を構成する第１ギアボックス２８と、一対の軸支持部１６により支持されている。
第１変換部１４は、第１回転軸１２と一体回転する第１傾斜ボス部１７と、第１マッサージ部材１３の基端側に設けられ、第１傾斜ボス部１７に相対回転自在な状態で外嵌する第１環状嵌合部１９と、第１マッサージ部材１３が第１回転軸１２との同伴回転することを規制する第１規制部２０と、を有している。
【００３３】
第１傾斜ボス部１７は、外周面に第１回転軸１２に対して傾斜状のカム面１８を有し、第１回転軸１２の軸心に対して傾斜回転する。この第１傾斜ボス部１７（カム面１８）の傾きは、左右一対の第１マッサージ部材１３間において、相対逆向きに互いに傾斜している。第１環状嵌合部１９が外嵌する第１傾斜ボス部１７の傾斜回転により、第１マッサージ部材１３は揺動運動をする。
【００３４】
第１規制部２０は、第１環状嵌合部１９の基端側に配備されていて、第１環状嵌合部１９に設けられた第１規制ピン２１と、基盤体１５に設けられ、第１規制ピン２１が摺動自在に嵌り込む第１規制溝２２と、を有している。
第１規制ピン２１は、第１環状嵌合部１９から第１マッサージ部材１３と反対側の方向に突設されている。この第１規制ピン２１と対面する基盤体１５には、左右方向に長い第１規制溝２２が設けられている。第１規制溝２２には、第１規制ピン２１が摺動自在に挿入され、第１規制ピン２１が略水平方向で左右に揺動する。これにより、第１環状嵌合部１９が第１傾斜ボス部１７に対して供回りすることを規制する。
【００３５】
このように、第１マッサージ部材１３が上ケース体２の左右の第１施療凹部７に対応するように合計二組、備えられている。左右一対の第１マッサージ部材１３が近接離反する揺動動作をすることにより、ふくらはぎＣ又は腿Ｔに対して、効果的な挟み込みマッサージが付与される。
駆動機構２３は、下ケース体８内に格納されていて、上部マッサージ機構１１の第１回転軸１２と、下部マッサージ機構３７（詳細は後述）の第２回転軸３８とを共に回転駆動させて、それぞれの挟み込みマッサージ機構を動作させる。
【００３６】
図４に示すように、駆動機構２３は、回転駆動力を出力する駆動モータ２４と、当該駆動モータ２４から出力された回転駆動力を上部マッサージ機構１１に入力する上部伝達軸２７ａと、駆動モータ２４から出力された回転駆動力を下部マッサージ機構３７に入力する下部伝達軸２７ｂと、伝達された回転駆動力を第１回転軸１２に伝達する第１ギアボックス２８と、伝達された回転駆動力を第２回転軸３８に伝達する第２ギアボックス２９と、を有している。
【００３７】
上部伝達軸２７ａで伝達された回転駆動力により、上部マッサージ機構１１が駆動すると同時に、下部伝達軸２７ｂで伝達された回転駆動力により、下部マッサージ機構３７が駆動する。
駆動モータ２４は、下ケース体８内の上下方向中途部で且つ、下部マッサージ機構３７を構成する左側の内側第２マッサージ部材３９と右側の内側第２マッサージ部材３９との間に配備されている。また、駆動モータ２４は、上部伝達軸２７ａと下部伝達軸２７ｂの
間に備えられている。
【００３８】
この駆動モータ２４の出力軸２５は、前方に突出するように配備されている。つまり、駆動モータ２４は、下ケース体８内の上下方向においても、左右方向においても、略中央に配備されているともいえる。
減速ギアボックス２６は、駆動モータ２４の前方に配備されていて、出力軸２５が挿入されている。
【００３９】
上部伝達軸２７ａは、軸心が上方向を向き、且つ、上端が斜め後方を向いて配備されている。また、下部伝達軸２７ｂは、軸心が下方向を向き、且つ、上端が斜め前方を向いて配備されている。
これら上部伝達軸２７ａと下部伝達軸２７ｂを一体の軸体と見ると、下ケース体８内及び上ケース体２を上下方向に亘って掛け渡すように、第１ギアボックス２８及び第２ギアボックス２９に支えられるように備えられているといえる。
【００４０】
上部伝達軸２７ａと下部伝達軸２７ｂの間に、減速ギアボックス２６が備えられていて、上部伝達軸２７ａと下部伝達軸２７ｂはその減速ギアボックス２６に挿入されて配備されている。
つまり、駆動モータ２４は、回転駆動力を出力し、減速ギアボックス２６で所定の速度に減速され、その回転駆動力が上部伝達軸２７ａにより上側の第１ギアボックス２８に入力されて第１回転軸１２に伝達されると共に、下部伝達軸２７ｂにより下側の第２ギアボックス２９に入力されて第２回転軸３８に伝達されることにより、上部マッサージ機構１１と下部マッサージ機構３７を同時に駆動させる。
【００４１】
第１ギアボックス２８は、上部マッサージ機構１１を構成する内側の第１マッサージ部材１３ｂ間に配備されている。第１ギアボックス２８は、揺動支持部３０に支持されていて、上部伝達軸２７ａの上端が挿入されている。第１ギアボックス２８には、上ケース体２内を左右方向に亘って配備されている第１回転軸１２が貫通している。上部伝達軸２７ａにより回転駆動力が第１ギアボックス２８に入力されると、貫通して配備されている第１回転軸１２が回転する。
【００４２】
第２ギアボックス２９は、下部マッサージ機構３７（詳細は後述）を構成する内側の第２マッサージ部材３９ａ間に配備されていて、下部伝達軸２７ｂの下端が挿入されている。第２ギアボックス２９には、下ケース体８内を左右方向に亘って配備されている、下部マッサージ機構３７を構成する第２回転軸３８が貫通している。下部伝達軸２７ｂにより回転駆動力が第２ギアボックス２９に入力されると、貫通して配備されている第２回転軸３８が回転する。なお、各ギアボックス２６、２８、２９の内部には、所定のウォームギア及びウォームホイールが格納されている。
【００４３】
以上、本発明の下肢用マッサージ機１は、駆動機構２３の駆動モータ２４から出力された回転駆動力を、上部伝達軸２７ａと下部伝達軸２７ｂに振り分けて、上部マッサージ機構１１と下部マッサージ機構３７に入力している。つまり、本発明の下肢用マッサージ機１は、駆動モータ２４一つで、上部マッサージ機構１１と下部マッサージ機構３７を駆動させている。なお、駆動モータ２４を複数用意し、一の駆動モータで上部マッサージ機構１１を駆動し、他の駆動モータで下部マッサージ機構３７を駆動するようにしてもよい。
【００４４】
さて、図１〜図９などに示すように、本発明の下肢用マッサージ機１は、上部マッサージ機構１１を、揺動支持部３０により、左右方向を向く軸心回りに揺動可能に支持することができる構成となっている。その揺動支持部３０について、詳細に説明する。
図４、図６などに示すように、揺動支持部３０は、下ケース体８の上部に設けられていて、左右方向を向く揺動軸３１を介して上ケース体２の先端側が立ち上がり可能なように、上ケース体２の基端側（上部マッサージ機構１１の中央）を揺動自在に支持している。なお、本実施形態においては、揺動軸３１は、第１回転軸１２と同一軸体からなるものとしている。つまり、第１回転軸１２の長手方向中央が揺動軸３１となっている。
【００４５】
揺動支持部３０は、下ケース体８内の上部中央に取り付けられている載置部３２から上方に向かって立設された支持部材であり、下ケース体８の中央に一つ設けられている。揺動支持部３０は、下ケース体８内の載置部３２から上方に向かって延設され、駆動機構２
３を構成する第１ギアボックス２８を下方から支持するものとなっている。
載置部３２は、下ケース体８内の後面側であって、その上部中央に設けられている取付部材である。載置部３２は、揺動支持部３０が載置されることで、下方から支持するものとなっている。なお、この載置部３２の上方に位置する下ケース体８の上面には、開口部３３が形成されている。載置部３２に取り付けられた揺動支持部３０は、その開口部３３を通過して上方に突出するように備えられる。この開口部３３においては、揺動支持部３０及び第１ギアボックス２８などを覆うキャップ体３４が取り付けられる。
【００４６】
つまり、揺動支持部３０は、載置部３２を介して下ケース体８の上部に設けられた開口部３３から突出状に設けられている。その揺動支持部３０は、第１ギアボックス２８を下方から支持し、その第１ギアボックス２８に備えられたベアリングを介して、第１回転軸１２（揺動軸３１）の長手方向中央を左右方向軸心回りに回転自在に支持する。このような構成により、揺動支持部３０は上部マッサージ機構１１を揺動自在に支持する。
【００４７】
下ケース体８の上部中央に設けられた揺動支持部３０の一点支持により、上部マッサージ機構１１は、下ケース体８の上方において浮いたような状態となっている。
本実施形態においては、揺動支持部３０により支持されている上ケース体２を下ケース体８に隣接するように前倒しにしたとき、当該上ケース体２内に収容されている第１マッサージ部材１３は前方向を向き、上ケース体２を下ケース体８から離反するように立ち上げたとき、当該上ケース体２内に収容されている第１マッサージ部材１３は上方を向く構成とされている。
【００４８】
つまり、本実施形態では、第１マッサージ部材１３を、図７に示す「第１の位置（斜め前下方を向いた位置）」から、図９に示す「第３の位置（上方向を向いた位置）」までの間で切り替え可能となっている。すなわち、第１マッサージ部材１３は、ふくらはぎＣ（第１の施療部）や腿Ｔ（第２の施療部）などいずれかの部位に対応できるように、「第１の位置（略水平方向の位置）」〜「第３の位置（鉛直やや後方の位置）」の複数の段階に切り替え可能となっている。
【００４９】
ところで、揺動軸３１は、第１回転軸１２とは別の第２の軸体として設けていても構わない。この場合、第２の軸体である揺動軸３１は、例えば、揺動支持部３０内に左右方向を向く軸体を第１回転軸１２の軸心と同方向で且つ平行に設けておく。その軸体の左右方向軸心回りに、第１ギアボックス２８と第１回転軸１２を共に回転自在に支持するように備えることにより、上部マッサージ機構１１を揺動自在に支持するようにしてもよい。
【００５０】
なお、揺動支持部３０の構成について、上部マッサージ機構１１を、左右方向を向く軸心回りに揺動可能に支持することができる構成であれば、本実施形態で例示した以外の構成を採用してもよい。揺動支持部３０は、例えば、下ケース体８の上部左右両側に、上方に突出するように一対設けていてもよい。すなわち、左右方向を向く第１回転軸１２（揺動軸３１）左右両端部を回転自在に支持するようにし、その第１回転軸１２を介して上部マッサージ機構１１の左右両側を揺動自在に支持するようにする。
【００５１】
ところで、本実施形態の上部マッサージ機構１１には、ふくらはぎＣや腿Ｔが大きかったりといった下肢Ｌの形状（大きさ）には個人差があるので、一対の第１マッサージ部材１３の幅を調整することができる幅調整機構３５が備えられている。幅調整機構３５は、外側の第１マッサージ部材１３ａ側に設けられていて、第１回転軸１２上に設けられ、螺旋状に形成された外歯を有するスクリューねじ部３６と、そのスクリューねじ部３６と螺合する内歯を有する外側の第１傾斜ボス部１７ａとからなるものである。また、幅調整機構３５に対して幅調整の指示をするボタン（図示せず）などを、上ケース体２などに配備されていてもよい。
【００５２】
使用者が上ケース体２などに配備されたボタンなどを押すと、外側の第１傾斜ボス部１７ａがスクリューねじ部３６上を左右方向に移動することとなり、外側の第１マッサージ部材１３ａが左右方向に移動することとなる。これにより、一対の第１マッサージ部材１３の幅を任意で調整することが可能となる。
なお、足部Ｆの形状（大きさ）にも個人差があるので、後述する下部マッサージ機構３７に幅調整機構３５を備えていてもよい。
【００５３】
また好ましくは、内部に距離センサや荷重センサなどの検出部を備えておき、その検出部が使用者のふくらはぎＣや腿Ｔや足部Ｆなどの下肢Ｌの形状（大きさ）を検出し、その計測結果に基づいて幅調整機構３５が連動して一対のマッサージ部材の幅を調整する構成を備えておくとよい。
幅調整機構３５に関しては、他の機構を採用することも可能であるが、特開２０１７−１５３７３４号公報に開示された機構、すなわち、上記した機構が最も好ましい。
【００５４】
本実施形態の下部マッサージ機構３７は、左右方向を向くように設けられ且つ、駆動機構２３を構成する下部伝達軸２７ｂからの回転駆動力により回転する第２回転軸３８と、第２回転軸３８の中途部に配備され且つ、第２回転軸３８の回転駆動力により近接離反して少なくとも足先からかかとまでの足部Ｆを含む施療部を挟み込む左右一対の第２マッサージ部材３９と、第２回転軸３８の回転駆動力を、左右一対の第２マッサージ部材３９の揺動動作に変換する第２変換部４０と、を有している。
【００５５】
第２マッサージ部材３９は、下ケース体８の底部であって、第２回転軸３８の上方に設けられている。第２マッサージ部材３９は、前後方向にそれぞれ突出した板状の部材であり、足先・足の甲・くるぶし・かかとなどの足部Ｆの形状に沿うと共に包み込むように、回り込んだ湾曲状に形成されている。第２マッサージ部材３９は、足部Ｆの施療部を挟み込むことができるように左右に離間して一対配備されていて、その足部Ｆに対して挟み込み（押圧）マッサージ動作を付与するものである。
【００５６】
第２回転軸３８は、軸心が水平方向を向くように配備され且つ、軸受（ベアリング）を介して、下ケース体８の底部に設けられた２つの支持部材４７と駆動機構２３の第２ギアボックス２９により支持されている。この第２回転軸３８は、第２マッサージ部材３９（第２変換部４０）の基端側を左右方向に亘って、貫通するように設けられている。
第２変換部４０は、第２回転軸３８と一体回転する第２傾斜ボス部４１と、第２マッサージ部材３９の基端側に設けられ、第２傾斜ボス部４１に相対回転自在な状態で外嵌する第２環状嵌合部４３と、第２マッサージ部材３９が第２回転軸３８との同伴回転することを規制する第２規制部４４と、を有している。
【００５７】
第２傾斜ボス部４１は、外周面に第２回転軸３８に対して傾斜状のカム面４２を有し、第２回転軸３８の軸心に対して傾斜回転する。この第２傾斜ボス部４１（カム面４２）の傾きは、左右一対の第２マッサージ部材３９間において、相対逆向きに互いに傾斜している。第２環状嵌合部４３が外嵌する第２傾斜ボス部４１の傾斜回転により、第２マッサージ部材３９は揺動運動をする。
【００５８】
第２規制部４４は、第２環状嵌合部４３の基端側に配備されていて、第２環状嵌合部４３に設けられた第２規制ピン４５と、下ケース体８上に設けられ、第２規制ピン４５が摺動自在に嵌り込む第２規制溝４６と、を有している。
第２規制ピン４５は、第２環状嵌合部４３から第２マッサージ部材３９と反対側の方向に突設されている。この第２規制ピン４５と対面する下ケース体８には、左右方向に長い第２規制溝４６が設けられている。第２規制溝４６には、第２規制ピン４５が摺動自在に挿入され、第２規制ピン４５が略水平方向で左右に揺動する。これにより、第２環状嵌合部４３が第２傾斜ボス部４１に対して供回りすることを規制する。
【００５９】
さらに、下部マッサージ機構３７は、足裏Ｓの長手方向中央（土踏まずＡ）に対して、押圧マッサージ動作を付与する足裏マッサージローラ４８を有している。
足裏マッサージローラ４８は、左右一対の第２マッサージ部材３９に挟まれる位置に配備されている。足裏マッサージローラ４８は、軸心が左右方向を向く回転自在の円筒状の部材であって、第２回転軸３８に串刺し状に貫通して取り付けられている。
【００６０】
足裏マッサージローラ４８の外周面には、周方向及び第２回転軸３８の軸方向に間隔をおいて、径方向外側を向いた施療子４９が複数設けられている。
このように、第２マッサージ部材３９と足裏マッサージローラ４８とを一組として、この組み合わせが下ケース体８の左右の第２施療凹部９に対応するように合計二組、備えられている。
【００６１】
左右一対の第２マッサージ部材３９が近接離反する揺動動作をすることにより、足先か
らかかとまでの足部Ｆに対して、効果的な挟み込みマッサージが付与される。また、足裏マッサージローラ４８が回転動作をすることにより、施療子４９が足裏Ｓの土踏まずＡに対して効果的な押圧マッサージを付与する。
加えて、本実施形態の下肢用マッサージ機１には、振動マッサージ機構５０が備えられている。振動マッサージ機構５０は、回転駆動力を発生するモータ５１と、回転駆動力を振動に変換する振動発生部（図示せず）と、振動発生部により振動する足裏マッサージ部材５２と、を有している。
【００６２】
足裏マッサージ部材５２は、矩形状の枠体であり、その枠体上には足裏マッサージローラ４８が取り付けられた第２回転軸３８が配備されている。足裏マッサージ部材５２には、足裏Ｓの前側及び後側に対応する位置に、突起状の施療子５３が複数設けられている。施療子５３は、足裏マッサージローラ４８を前後方向で挟むように、前側と後側に複数設けられている。足裏マッサージ部材５２の下部には、ゴムなどの弾性体で形成されている振動体５４が、少なくとも枠体の四隅に設けられている。振動体５４は、下ケース体８の底部に取り付けられている。
【００６３】
モータ５１の出力軸は下方を向き、その先端には偏心カム（図示せず）が取り付けられている。偏心カムは、足裏マッサージ部材５２に設けられている凹部（図示せず）に嵌め込まれている。つまり、振動発生部は、モータ５１の出力軸に取り付けられた偏心カムと、足裏マッサージ部材５２の凹部とを有している。
凹部内で偏心カムが回転しながら接触することにより振動が発生し、足裏マッサージ部材５２が震えることとなる。また、振動体５４も同時に振動するので、足裏マッサージ部材５２がより震えることとなる。これにより、振動する足裏マッサージ部材５２の施療子５３が、足裏Ｓの前側及び後側に対して振動マッサージを付与する。
【００６４】
ここで、「第１の位置」〜「第３の位置」における第１マッサージ部材１３の状態について、図７〜図９に基づいて説明する。
例えば、図７に示す「第１の位置」のとき、第１マッサージ部材１３は、略水平方向で且つ前方向へ突出するように配備される。なお、第１施療凹部７は、上方・前方・下方が開放された状態となる。なお、揺動支持部３０を覆うキャップ体３４は、下カバー体３に形成されている窪み部６に収容されている。
【００６５】
使用者は、下肢用マッサージ機１の第１施療凹部７にふくらはぎＣを挿入すると共に、第２施療凹部９に足部Ｆを挿入する。
第１マッサージ部材１３は、「第１の位置」において、第１施療凹部７内に挿入されたふくらはぎＣ（第１の施療部）に対して、外側から押すように挟み込む、押圧マッサージ動作を付与する。なお、上部マッサージ機構１１は、ふくらはぎＣを挟み込むことにより固定されている。
【００６６】
詳しくは、図７に示すように、第１マッサージ部材１３は、長手方向中央の部分がふくらはぎＣの前部を側方から覆い、基端側がふくらはぎＣの後部を側方から覆うものとされ、そのふくらはぎＣ全体に対して外側及び内側から押すように挟み込む、押圧マッサージ動作を付与する。なお、使用者のふくらはぎＣの大きさによって、第１マッサージ部材１３が押圧する長手方向における位置は異なる。
【００６７】
また、第２マッサージ部材３９は、「第１の位置」において、第２施療凹部９内に挿入された足部Ｆ（第２の施療部）に対して、外側から押すように挟み込む、押圧マッサージ動作を付与する。
詳しくは、図７に示すように、第２マッサージ部材３９は、前端側が足先を側方から覆い、後端側がかかとを側方から覆うものとされ、その足先からかかとまでの足部Ｆに対して、外側及び内側から押すように挟み込む、押圧マッサージ動作を付与する。
【００６８】
ここで、使用者が上ケース体２の先端側の側方を把持し、上部マッサージ機構１１に対して、第１回転軸１２（揺動軸３１）の軸心回りに一定の力で上方に持ち上げると、「第２の位置」へと移行することができる。
図８に示す「第２の位置」のとき、第１マッサージ部材１３は、やや上方に持ち上げられた状態となり、斜め前方向へ突出するように配備される。
【００６９】
第１マッサージ部材１３は、「第２の位置」においては、例えば、第１施療凹部７内に挿入されたふくらはぎＣの上部から膝下の側方に対して、外側から押すように挟み込む、押圧マッサージ動作を付与する。なお、上部マッサージ機構１１は、ふくらはぎＣの上部から膝下の間を挟み込むことにより固定されている。
詳しくは、図８に示すように、第１マッサージ部材１３は、長手方向中央の部分がふくらはぎＣの上部から膝下のあたりを側方から覆い、そのふくらはぎＣの上部などに対して外側及び内側から押すように挟み込む、押圧マッサージ動作を付与する。なお、図８に示す第２の位置は、第１の位置から第３の位置へ遷移する過程を示したものともいえる。
【００７０】
ここで、使用者が上ケース体２の先端側の側方を把持し、上部マッサージ機構１１に対して、第１回転軸１２（揺動軸３１）の軸心回りに一定の力でさらに上方に持ち上げると、「第３の位置」へと移行することができる。
図９に示す「第３の位置」のとき、第１マッサージ部材１３は、後方に押し込まれた状態となり、後斜め上方向へ立ち上がるように配備される。なお、第１施療凹部７は、上方・前方・後方が開放された状態となる。
【００７１】
第１マッサージ部材１３は、「第３の位置」において、第１施療凹部７内に挿入された腿Ｔ（第１の施療部）に対して、外側から押すように挟み込む、押圧マッサージ動作を付与する。なお、上部マッサージ機構１１は、腿Ｔを挟み込むことにより固定されている。
詳しくは、図９に示すように、第１マッサージ部材１３は、上端側が腿Ｔの上部を側方から覆い、長手方向中央の部分が腿Ｔを側方から覆うものとされ、その腿Ｔ全体に対して、外側及び内側から押すように挟み込む、押圧マッサージ動作を付与する。
【００７２】
上で述べた手順を逆に行えば、再び「第１の位置」、「第２の位置」などに、マッサージ位置を切り替える（戻す）ことができる。なお、本実施形態の「第１の位置」〜「第３の位置」のマッサージ位置については一例であり、例示した上部マッサージ機構１１の角度に限定されない。
以上、本発明の説明で述べたように、上部マッサージ機構１１を揺動支持部３０により、左右方向を向く軸心回りに揺動可能に支持し、前後方向の所定のマッサージ位置（「第１の位置」〜「第３の位置」）のうち、いずれかの位置に切り替えて使用する構成、すなわち第１マッサージ部の位置を可変とする構成とすることで、例えば使用者が椅子などに着座した状態で、上部マッサージ機構１１によりふくらはぎＣ又は腿Ｔなどいずれかの下肢Ｌの施療部に対して押圧マッサージを付与することができる。それと同時に、下部マッサージ機構３７により足部Ｆに対して押圧マッサージを付与することもできる。
【００７３】
なお、今回開示された実施形態はすべての点で例示であって制限的なものではないと考えられるべきである。
特に、今回開示された実施形態において、明示されていない事項、例えば、作動条件や操作条件、構成物の寸法、重量などは、当業者が通常実施する範囲を逸脱するものではなく、通常の当業者であれば、容易に想定することが可能な事項を採用している。
【００７４】
例えば、本発明の下肢用マッサージ機１に、送風ポンプと、送風ポンプからの空気を暖める加熱装置と、を備えておいてもよい。すなわち、加熱装置により暖められた温風を下肢用マッサージ機１の内部に送風することで、第１マッサージ部材１３や第２マッサージ部材３９を近傍を暖めて、足部Ｆ、ふくらはぎＣ、腿Ｔなどの施療部に対して温熱マッサージを行う構成を設けてもよい。
【００７５】
また、本発明の下肢用マッサージ機１に、使用者の施療部に対して押圧マッサージを付与するエアバッグ部材を備えていてもよい。一対の第１マッサージ部材１３の位置に、エアバッグ部材を一対備え、一対の第２マッサージ部材３９の位置に、エアバッグ部材を一対備えていてもよい。
また、本発明の下肢用マッサージ機１に、上部マッサージ機構１１の揺動を停止することができる位置決め機構を設けてもよい。すなわち、位置決め機構は、上部マッサージ機構１１を位置決め機構により所定の位置で係合させることで、上部マッサージ機構１１を前後方向における所定位置（マッサージ位置）にて揺動を停止する構成とされているとよい。
【００７６】
位置決め機構は、例えば、揺動支持部３０の近傍、すなわち上部マッサージ機構１１の中央に一つ配備するようにしてもよい。また、位置決め機構については、例えば、段階的に調整することが可能なラチェット機構を採用するとよい。
左右一対の第１マッサージ部材１３の間の第１回転軸１２に、円筒部材５５がそれぞれ取り付けられているが、この円筒部材５５の外周面に施療部（ふくらはぎＣや腿Ｔの後側など）を押し込む突起を設けて、回転マッサージ部材としてもよい。
【００７７】
また、上述した上ケース体２及び下ケース体８を形成する素材については限定されない。プラスチックのような硬質体で上ケース体２及び下ケース体８を形成してもよく、布材のような軟質体で上ケース体２及び下ケース体８を形成するようにしてもよい。
また、例えば、下肢Ｌへ付与するマッサージ動作の強弱やリズムを変更することができるようにしてもよい。加えて、上部マッサージ機構１１と下部マッサージ機構３７との一方または両方に、使用者の下肢の大きさを検出し、その結果に基づいて幅調整機構３５を連動させ一対のマッサージ部材（第１マッサージ部材１３、第２マッサージ部材３９）の幅を調整する構成を備えておくとよい。幅調整機構３５に関しては、特開２０１７−１５３７３４号公報に開示された機構が最も好ましい。一対のマッサージ部材（第１マッサージ部材１３、第２マッサージ部材３９）の揺動の角度を調整する機構を備えていてもよい。
【００７８】
本発明においては、上部マッサージ機構１１及び下部マッサージ機構３７の基本的な装置構成については、特に限定はしない。つまり、上部マッサージ機構１１及び下部マッサージ機構３７としては、様々なものが採用可能である。
【符号の説明】
【００７９】
１  下肢用マッサージ機
２  上ケース体
３  下カバー体
４  上カバー体
５  取付部
６  窪み部
７  第１施療凹部
８  下ケース体
９  第２施療凹部
１０  把持部
１１  上部マッサージ機構
１２  第１回転軸
１３  第１マッサージ部材
１３ａ  外側の第１マッサージ部材
１３ｂ  内側の第１マッサージ部材
１４  第１変換部
１５  基盤体
１６  軸支持部
１７  第１傾斜ボス部
１７ａ  外側の第１傾斜ボス部
１８  カム面
１９  第１環状嵌合部
２０  第１規制部
２１  第１規制ピン
２２  第１規制溝
２３  駆動機構
２４  駆動モータ
２５  出力軸
２６  減速ギアボックス
２７ａ  上部伝達軸
２７ｂ  下部伝達軸
２８  第１ギアボックス
２９  第２ギアボックス
３０  揺動支持部
３１  揺動軸
３２  載置部
３３  開口部
３４  キャップ体
３５  幅調整機構
３６  スクリューねじ部
３７  下部マッサージ機構
３８  第２回転軸
３９  第２マッサージ部材
３９ａ  内側の第２マッサージ部材
４０  第２変換部
４１  第２傾斜ボス部
４２  カム面
４３  第２環状嵌合部
４４  第２規制部
４５  第２規制ピン
４６  第２規制溝
４７  支持部材
４８  足裏マッサージローラ
４９  施療子
５０  振動マッサージ機構
５１  モータ
５２  足裏マッサージ部材
５３  施療子
５４  振動体
５５  円筒部材
６０  スイッチ
Ｌ  下肢
Ｆ  足部
Ｃ  ふくらはぎ
Ｔ  腿
Ｓ  足裏
Ａ  土踏まず
Ｒ  床面
【図１】
2020031830.tif 000003
【図２】
2020031830.tif 000004
【図３】
2020031830.tif 000005
【図４】
2020031830.tif 000006
【図５】
2020031830.tif 000007
【図６】
2020031830.tif 000008
【図７】
2020031830.tif 000009
【図８】
2020031830.tif 000010
【図９】
2020031830.tif 000011